(57)【要約】  本発明は、データを伝送するための方法および装置ならびにコンピュータ記憶媒体を開示し、伝送のための所定のＤＭＲＳポートの順序付けルールに基づいて、伝送に使用されるＤＭＲＳポートへのデータ層のマッピングを実施する。本発明によって提供されるデータを送信するための方法は、所定の復調参考信号（ＤＭＲＳ）ポートのＤＭＲＳ順序付けルールを決定するステップと、前記所定のＤＭＲＳポートの順序付けルールに従って、データ層を伝送に使用されるＤＭＲＳポートにマッピングして端末に送信するステップとを備える。
2021510284.tif 000002
【特許請求の範囲】
【請求項１】
所定の復調参考信号（ＤＭＲＳ）ポートのＤＭＲＳ順序付けルールを決定するステップと、
前記所定のＤＭＲＳポートの順序付けルールに従って、データ層を伝送に使用されるＤＭＲＳポートにマッピングして端末に送信するステップとを備えることを特徴とするデータを伝送するための方法。
【請求項２】
前記ＤＭＲＳポートの順序付けルールは、以下のスキームのうちの１つで事前に設定され、
スキーム１−１：ＤＭＲＳポートベクトルに含まれるＤＭＲＳポート番号の小さいものから大きいものへの順で排列し、
スキーム１−２：ＤＭＲＳポートベクトルに含まれるＤＭＲＳポートが属するコード分割多重化（ＣＤＭ）グループの番号に従って、ＣＤＭグループの順序を付け、各ＣＤＭグループについて、ＤＭＲＳポート番号に従ってグループ内のＤＭＲＳポートの順序を付け、
スキーム１−３：
単一コードワード送信の場合、前記スキーム１−１またはスキーム１−２が採用され、
デュアルコードワード送信の場合、ステップ１およびステップ２からなり、
ステップ１：構成または指定されたＤＭＲＳ ＱＣＬグルーピングパラメーターに従って、各ＤＭＲＳグループについて、ＤＣＩによって割り当てられたＤＭＲＳポートをグルーピングし
ＤＭＲＳポート番号の小さいものから大きいものへの順番にしたがってＤＭＲＳポート順序をつけ、または
グループ内の各ＤＭＲＳポートが属するＣＤＭグループの番号にしたがってＣＤＭグループ順序をつけ、各ＣＤＭグループにおいて、ＤＭＲＳポート番号の小さいものから大きいものへの順で順序つけを実行し、
ステップ２、ＤＭＲＳグループ間の順序つけは、具体的には、
データ層の数が奇数の場合：
ＤＭＲＳポートの数が少ないグループを前の位置に配置し、または
ＤＭＲＳグループの番号に従って各ＤＭＲＳグループの順序をつけ、
データ層の数が偶数の場合：
コードワード１に対応するＤＭＲＳポート集合が、層の数が−１である場合の、コードワード１に対応するＤＭＲＳポート集合と同じになることを確保し、そして、コードワード０に対応するＤＭＲＳポート集合は、層の数が−１である場合の、コードワード０に対応するＤＭＲＳポート集合を含み、または、
ＤＭＲＳグループの番号に従って各ＤＭＲＳグループの順序をつけ、
スキーム１−４：
１つのＤＭＲＳグループを使用する場合は、前記スキーム１−１またはスキーム１−２が採用され、
２つのＤＭＲＳグループを使用する場合、
高位層によって構成されたＤＭＲＳ ＱＣＬグルーピングパラメーターに基づいて、各ＤＭＲＳグループについて、ＤＣＩによって割り当てられたＤＭＲＳポートをグルーピングし、ＤＭＲＳポート番号の小さいものから大きいものへの順でＤＭＲＳポートの順序を付け、またはＤＭＲＳグループ内の各ＤＭＲＳポートが属するＣＤＭグループの番号にしたがって、ＣＤＭグループの順序を付け、各ＣＤＭグループにおいて、ＤＭＲＳポート番号の小さいものから大きいものへの順で順序つけを実行し、
ＤＭＲＳポート数が少ないＤＭＲＳグループを前の位置に配置することを特徴とする請求項１に記載のデータを伝送するための方法。
【請求項３】
端末にＤＣＩに従ってＤＭＲＳポートの構成パラメータを決定させるように、前記端末にＤＣＩを送信することを特徴とする請求項１に記載のデータを伝送するための方法。
【請求項４】
所定のＤＭＲＳポートの順序付けルールを決定するステップと、
前記所定のＤＭＲＳポートの順序付けルールに従って、復調参考信号（ＤＭＲＳ）ポートにマッピングされて送信されたデータ層を受信するステップとを備えることを特徴とするデータを受信するための方法。
【請求項５】
前記所定のＤＭＲＳポートの順序付けルールに従って、復調参考信号（ＤＭＲＳ）ポートにマッピングされて送信されたデータ層を受信することは、具体的には以下を含む。
次の式に従って、伝送に使用されるＤＭＲＳポートにマッピングされて送信されたデータ層を受信し：
【数１】
2021510284.tif 000090
ここで、
【数２】
2021510284.tif 000091
ｉは各データ層需要伝送される必要がある
【数３】
2021510284.tif 000092
個の変調シンボルにおけるｉ番目の変調シンボルを表し、Ｐ０,…，Ｐｖ−１はｖ個のＤＭＲＳポートの番号を表し、
【数４】
2021510284.tif 000093
は、所定のＤＭＲＳポートの順序付けルールにしたがって決定されたｖ個のＤＭＲＳポートのベクトルであり、
【数５】
2021510284.tif 000094
は、並列に送信されたマルチ入力マルチ出力（ＭＩＭＯ）伝送データ層の数ｖに従って各データ層を番号で順序つけすることによって取得された送信信号ベクトルである。
【数６】
2021510284.tif 000095
は伝送に使用されるＤＭＲＳポートy(P0)(i)上でデータ層x(0)(i)を受信することを示し、このように、伝送に使用されるＤＭＲＳポートy(Pv-1)(i)上でデータ層x(v-1)(i)を受信することを特徴とする請求項４に記載のデータを受信するための方法。
【請求項６】
ＤＭＲＳ構成タイプが第１のタイプであり、ＤＭＲＳシンボルの最大数が１である場合、{Ｐ０,…，Ｐｖ−１}の値は、以下のテーブルによって決定され、
【表１】
2021510284.tif 000096
ここで、ＤＭＲＳ ｐｏｒｔ(ｓ)は、ＤＭＲＳポート集合を表し、ＤＣＩにより端末に通知されることを特徴とする請求項５に記載のデータを受信するための方法。
【請求項７】
ＤＭＲＳ構成タイプが第１のタイプであり、ＤＭＲＳシンボルの最大数が２である場合、{Ｐ０,…，Ｐｖ−１}の値は、以下のテーブルによって決定され、
【表２−１】
2021510284.tif 000097
【表２−２】
2021510284.tif 000098
【表２−３】
2021510284.tif 000099
【表２−４】
2021510284.tif 000100
ここで、ＤＭＲＳ ｐｏｒｔ(ｓ)は、ＤＭＲＳポート集合を表し、ＤＣＩにより端末に通知されることを特徴とする請求項５に記載のデータを受信するための方法。
【請求項８】
ＤＭＲＳ構成タイプが第２のタイプであり、ＤＭＲＳシンボルの最大数が１である場合、{Ｐ０,…，Ｐｖ−１}の値は、以下のテーブルによって決定され、
【表３−１】
2021510284.tif 000101
【表３−２】
2021510284.tif 000102
【表３−３】
2021510284.tif 000103
ここで、ＤＭＲＳ ｐｏｒｔ(ｓ)は、ＤＭＲＳポート集合を表し、ＤＣＩにより端末に通知されることを特徴とする請求項５に記載のデータを受信するための方法。
【請求項９】
ＤＭＲＳ構成タイプが第２のタイプであり、ＤＭＲＳシンボルの最大数が２である場合、{Ｐ０,…，Ｐｖ−１}の値は、以下のテーブルによって決定され、
【表４−１】
2021510284.tif 000104
【表４−２】
2021510284.tif 000105
【表４−３】
2021510284.tif 000106
【表４−４】
2021510284.tif 000107
【表４−５】
2021510284.tif 000108
【表４−６】
2021510284.tif 000109
ここで、ＤＭＲＳ ｐｏｒｔ(ｓ)は、ＤＭＲＳポート集合を表し、ＤＣＩにより端末に通知されることを特徴とする請求項５に記載のデータを受信するための方法。
【請求項１０】
ＤＭＲＳ構成タイプが第１のタイプであり、ＤＭＲＳシンボルの最大数が１である場合、{Ｐ０,…，Ｐｖ−１}の値は、以下のテーブルによって決定され、
【表５】
2021510284.tif 000110
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、ＤＭＲＳ ｐｏｒｔ(ｓ)は、ＤＭＲＳポート集合を表し、
ＤＣＩにより端末に通知されることを特徴とする請求項５に記載のデータを受信するための方法。
【請求項１１】
ＤＭＲＳ構成タイプが第１のタイプであり、ＤＭＲＳシンボルの最大数が２である場合、{Ｐ０,…，Ｐｖ−１}の値は、以下のテーブルによって決定され、
【表６−１】
2021510284.tif 000111
【表６−２】
2021510284.tif 000112
【表６−３】
2021510284.tif 000113
【表６−４】
2021510284.tif 000114
【表６−５】
2021510284.tif 000115
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表し、
ＤＭＲＳ ｐｏｒｔ(ｓ)は、ＤＭＲＳポート集合を表し、ＤＣＩにより端末に通知されることを特徴とする請求項５に記載のデータを受信するための方法。
【請求項１２】
ＤＭＲＳ構成タイプが第２のタイプであり、ＤＭＲＳシンボルの最大数が１である場合、{Ｐ０,…，Ｐｖ−１}の値は、以下のテーブルによって決定され、
【表７−１】
2021510284.tif 000116
【表７−２】
2021510284.tif 000117
【表７−３】
2021510284.tif 000118
【表７−４】
2021510284.tif 000119
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知されることを特徴とする請求項５に記載のデータを受信するための方法。
【請求項１３】
ＤＭＲＳ構成タイプが第２のタイプであり、ＤＭＲＳシンボルの最大数が２である場合、{Ｐ０,…，Ｐｖ−１}の値は、以下のテーブルによって決定され、
【表８−１】
2021510284.tif 000120
【表８−２】
2021510284.tif 000121
【表８−３】
2021510284.tif 000122
【表８−４】
2021510284.tif 000123
【表８−５】
2021510284.tif 000124
【表８−６】
2021510284.tif 000125
【表８−７】
2021510284.tif 000126
【表８−８】
2021510284.tif 000127
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知されることを特徴とする請求項５に記載のデータを受信するための方法。
【請求項１４】
ＤＭＲＳ構成タイプが第１のタイプであり、ＤＭＲＳシンボルの最大数が１である場合、{Ｐ０,…，Ｐｖ−１}の値は、以下のテーブルによって決定され、
【表９】
2021510284.tif 000128
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表すことを特徴とする請求項５に記載のデータを受信するための方法。
【請求項１５】
ＤＭＲＳ構成タイプが第１のタイプであり、ＤＭＲＳシンボルの最大数が２である場合、{Ｐ０,…，Ｐｖ−１}の値は、以下のテーブルによって決定され、
【表１０−１】
2021510284.tif 000129
【表１０−２】
2021510284.tif 000130
【表１０−３】
2021510284.tif 000131
【表１０−４】
2021510284.tif 000132
【表１０−５】
2021510284.tif 000133
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａはデータなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表すことを特徴とする請求項５に記載のデータを受信するための方法。
【請求項１６】
ＤＭＲＳ構成タイプが第２のタイプであり、ＤＭＲＳシンボルの最大数が１である場合、{Ｐ０,…，Ｐｖ−１}の値は、以下のテーブルによって決定され、
【表１１−１】
2021510284.tif 000134
【表１１−２】
2021510284.tif 000135
【表１１−３】
2021510284.tif 000136
【表１１−４】
2021510284.tif 000137
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表すことを特徴とする請求項５に記載のデータを受信するための方法。
【請求項１７】
ＤＭＲＳ構成タイプが第２のタイプであり、ＤＭＲＳシンボルの最大数が２である場合、{Ｐ０,…，Ｐｖ−１}の値は、以下のテーブルによって決定され、
【表１２−１】
2021510284.tif 000138
【表１２−２】
2021510284.tif 000139
【表１２−３】
2021510284.tif 000140
【表１２−４】
2021510284.tif 000141
【表１２−５】
2021510284.tif 000142
【表１２−６】
2021510284.tif 000143
【表１２−７】
2021510284.tif 000144
【表１２−８】
2021510284.tif 000145
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａはデータなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表すことを特徴とする請求項５に記載のデータを受信するための方法。
【請求項１８】
メモリおよびプロセッサを含み、前記メモリはプログラム命令を格納するように構成され、前記プロセッサは、前記メモリに格納されたプログラム命令を呼び出し、取得したプログラムに従って、所定の復調参考信号（ＤＭＲＳ）ポートのＤＭＲＳ順序付けルールを決定し、
前記所定のＤＭＲＳポートの順序付けルールに従って、データ層を伝送に使用されるＤＭＲＳポートにマッピングして、送受信機を介して端末に送信することを特徴とするデータを送信するための装置。
【請求項１９】
前記ＤＭＲＳポートの順序付けルールは、以下のスキームのうちの１つで事前に設定され、
スキーム１−１：ＤＭＲＳポートベクトルに含まれるＤＭＲＳポート番号の小さいものから大きいものへの順で排列し、
スキーム１−２：ＤＭＲＳポートベクトルに含まれるＤＭＲＳポートが属するＣＤＭグループの番号にしたがって、ＣＤＭグループの順序を付け、各ＣＤＭグループについて、ＤＭＲＳポート番号に従ってグループ内のＤＭＲＳポートの順序を付け、
スキーム１−３：
単一コードワード送信の場合、前記スキーム１−１またはスキーム１−２が採用され、
デュアルコードワード送信の場合、ステップ１およびステップ２からなり、
ステップ１：構成または指定されたＤＭＲＳ ＱＣＬグルーピングパラメーターに従って、各ＤＭＲＳグループについて、ＤＣＩによって割り当てられたＤＭＲＳポートをグルーピングし
ＤＭＲＳポート番号の小さいものから大きいものへの順番にしたがってＤＭＲＳポート順序をつけ、または
グループ内の各ＤＭＲＳポートが属するＣＤＭグループの番号にしたがってＣＤＭグループ順序をつけ、各ＣＤＭグループにおいて、ＤＭＲＳポート番号の小さいものから大きいものへの順で順序つけを実行し、
ステップ２、ＤＭＲＳグループ間の順序つけは、具体的には、
データ層の数が奇数の場合：
ＤＭＲＳポートの数が少ないグループを前の位置に配置し、または
ＤＭＲＳグループの番号に従って各ＤＭＲＳグループの順序をつけ、
データ層の数が偶数の場合：
コードワード１に対応するＤＭＲＳポート集合が、層の数が−１である場合の、コードワード１に対応するＤＭＲＳポート集合と同じになることを確保し、そして、コードワード０に対応するＤＭＲＳポート集合は、層の数が−１である場合の、コードワード０に対応するＤＭＲＳポート集合を含み、または、
ＤＭＲＳグループの番号に従って各ＤＭＲＳグループの順序をつけ、
スキーム１−４：
１つのＤＭＲＳグループを使用する場合は、前記スキーム１−１またはスキーム１−２が採用され、
２つのＤＭＲＳグループを使用する場合、
高位層によって構成されたＤＭＲＳ ＱＣＬグルーピングパラメーターに基づいて、各ＤＭＲＳグループについて、ＤＣＩによって割り当てられたＤＭＲＳポートをグルーピングし、ＤＭＲＳポート番号の小さいものから大きいものへの順でＤＭＲＳポートの順序を付け、または、ＤＭＲＳグループ内の各ＤＭＲＳポートが属するＣＤＭグループの番号にしたがって、ＣＤＭグループの順序を付け、各ＣＤＭグループにおいて、ＤＭＲＳポート番号の小さいものから大きいものへの順で順序つけを実行し、
ＤＭＲＳポート数が少ないＤＭＲＳグループを前の位置に配置することを特徴とする請求項１８に記載のデータを送信するための装置。
【請求項２０】
前記プロセッサはさらに、端末にＤＣＩに従ってＤＭＲＳポートの構成パラメータを決定させるように、送受信機を介して前記端末にＤＣＩを送信することを特徴とする請求項１８に記載のデータを送信するための装置。
【請求項２１】
メモリおよびプロセッサを含み、前記メモリはプログラム命令を格納するように構成され、前記プロセッサは、前記メモリに格納されたプログラム命令を呼び出し、取得したプログラムに従って、以下を実行し、
所定のＤＭＲＳポートの順序付けルールを決定し、
前記所定のＤＭＲＳポートの順序付けルールに従って、送受信機を介して復調参考信号（ＤＭＲＳ）ポートにマッピングされて送信されたデータ層を受信することを特徴とするデータを受信するための装置。
【請求項２２】
前記プロセッサは具体的に、
次の式に従って、伝送に使用されるＤＭＲＳポートにマッピングされて送信されたデータ層を受信し：
【数７】
2021510284.tif 000146
ここで、
【数８】
2021510284.tif 000147
ｉは各データ層需要伝送される必要がある
【数９】
2021510284.tif 000148
個の変調シンボルにおけるｉ番目の変調シンボルを表し、Ｐ０,…，Ｐｖ−１はｖ個のＤＭＲＳポートの番号を表し、
【数１０】
2021510284.tif 000149
は、所定のＤＭＲＳポートの順序付けルールにしたがって決定されたｖ個のＤＭＲＳポートのベクトルであり、
【数１１】
2021510284.tif 000150
は、並列に送信されたマルチ入力マルチ出力（ＭＩＭＯ）伝送データ層の数ｖに従って各データ層を番号で順序つけすることによって取得された送信信号ベクトルであり、
【数１２】
2021510284.tif 000151
は伝送に使用されるＤＭＲＳポートy(P0)(i)上でデータ層x(0)(i)を受信することを示し、このように、伝送に使用されるＤＭＲＳポートy(Pv-1)(i)上でデータ層x(v-1)(i)を受信することを特徴とする請求項２１に記載のデータを受信するための装置。
【請求項２３】
ことを特徴とする請求項２２に記載のデータを受信するための装置。
ＤＭＲＳ構成タイプが第１のタイプであり、ＤＭＲＳシンボルの最大数が１である場合、{Ｐ０,…，Ｐｖ−１}の値は、以下のテーブルによって決定され、
【表１３】
2021510284.tif 000152
ここで、ＤＭＲＳ ｐｏｒｔ(ｓ)は、ＤＭＲＳポート集合を表し、ＤＣＩにより端末に通知される。
【請求項２４】
ことを特徴とする請求項２２に記載のデータを受信するための装置。
ＤＭＲＳ構成タイプが第１のタイプであり、ＤＭＲＳシンボルの最大数が２である場合、{Ｐ０,…，Ｐｖ−１}の値は、以下のテーブルによって決定され、
【表１４−１】
2021510284.tif 000153
【表１４−２】
2021510284.tif 000154
【表１４−３】
2021510284.tif 000155
【表１４−４】
2021510284.tif 000156
ここで、ＤＭＲＳ ｐｏｒｔ(ｓ)は、ＤＭＲＳポート集合を表し、ＤＣＩにより端末に通知される。
【請求項２５】
ことを特徴とする請求項２２に記載のデータを受信するための装置。
ＤＭＲＳ構成タイプが第２のタイプであり、ＤＭＲＳシンボルの最大数が１である場合、{Ｐ０,…，Ｐｖ−１}の値は、以下のテーブルによって決定され、
【表１５−１】
2021510284.tif 000157
【表１５−２】
2021510284.tif 000158
【表１５−３】
2021510284.tif 000159
ここで、ＤＭＲＳ ｐｏｒｔ(ｓ)は、ＤＭＲＳポート集合を表し、ＤＣＩにより端末に通知される。
【請求項２６】
ＤＭＲＳ構成タイプが第２のタイプであり、ＤＭＲＳシンボルの最大数が２である場合、{Ｐ０,…，Ｐｖ−１}の値は、以下のテーブルによって決定され、
【表１６−１】
2021510284.tif 000160
【表１６−２】
2021510284.tif 000161
【表１６−３】
2021510284.tif 000162
【表１６−４】
2021510284.tif 000163
【表１６−５】
2021510284.tif 000164
【表１６−６】
2021510284.tif 000165
ここで、ＤＭＲＳ ｐｏｒｔ(ｓ)は、ＤＭＲＳポート集合を表し、ＤＣＩにより端末に通知されることを特徴とする請求項２２に記載のデータを受信するための装置。
【請求項２７】
ＤＭＲＳ構成タイプが第１のタイプであり、ＤＭＲＳシンボルの最大数が１である場合、{Ｐ０,…，Ｐｖ−１}の値は、以下のテーブルによって決定され、
【表１７】
2021510284.tif 000166
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
ＤＭＲＳ ｐｏｒｔ(ｓ)は、ＤＭＲＳポート集合を表し、ＤＣＩにより端末に通知されることを特徴とする請求項２２に記載のデータを受信するための装置。
【請求項２８】
ＤＭＲＳ構成タイプが第１のタイプであり、ＤＭＲＳシンボルの最大数が２である場合、{Ｐ０,…，Ｐｖ−１}の値は、以下のテーブルによって決定され、
【表１８−１】
2021510284.tif 000167
【表１８−２】
2021510284.tif 000168
【表１８−３】
2021510284.tif 000169
【表１８−４】
2021510284.tif 000170
【表１８−５】
2021510284.tif 000171
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知されることを特徴とする請求項２２に記載のデータを受信するための装置。
【請求項２９】
ＤＭＲＳ構成タイプが第２のタイプであり、ＤＭＲＳシンボルの最大数が１である場合、{Ｐ０,…，Ｐｖ−１}の値は、以下のテーブルによって決定され、
【表１９−１】
2021510284.tif 000172
【表１９−２】
2021510284.tif 000173
【表１９−３】
2021510284.tif 000174
【表１９−４】
2021510284.tif 000175
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知されることを特徴とする請求項２２に記載のデータを受信するための装置。
【請求項３０】
ＤＭＲＳ構成タイプが第２のタイプであり、ＤＭＲＳシンボルの最大数が２である場合、{Ｐ０,…，Ｐｖ−１}の値は、以下のテーブルによって決定され、
【表２０−１】
2021510284.tif 000176
【表２０−２】
2021510284.tif 000177
【表２０−３】
2021510284.tif 000178
【表２０−４】
2021510284.tif 000179
【表２０−５】
2021510284.tif 000180
【表２０−６】
2021510284.tif 000181
【表２０−７】
2021510284.tif 000182
【表２０−８】
2021510284.tif 000183
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知されることを特徴とする請求項２２に記載のデータを受信するための装置。
【請求項３１】
ＤＭＲＳ構成タイプが第１のタイプであり、ＤＭＲＳシンボルの最大数が１である場合、{Ｐ０,…，Ｐｖ−１}の値は、以下のテーブルによって決定され、
【表２１】
2021510284.tif 000184
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表すことを特徴とする請求項２２に記載のデータを受信するための装置。
【請求項３２】
ＤＭＲＳ構成タイプが第１のタイプであり、ＤＭＲＳシンボルの最大数が２である場合、{Ｐ０,…，Ｐｖ−１}の値は、以下のテーブルによって決定され、
【表２２−１】
2021510284.tif 000185
【表２２−２】
2021510284.tif 000186
【表２２−３】
2021510284.tif 000187
【表２２−４】
2021510284.tif 000188
【表２２−５】
2021510284.tif 000189
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａはデータなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表すことを特徴とする請求項２２に記載のデータを受信するための装置。
【請求項３３】
ＤＭＲＳ構成タイプが第２のタイプであり、ＤＭＲＳシンボルの最大数が１である場合、{Ｐ０,…，Ｐｖ−１}の値は、以下のテーブルによって決定され、
【表２３−１】
2021510284.tif 000190
【表２３−２】
2021510284.tif 000191
【表２３−３】
2021510284.tif 000192
【表２３−４】
2021510284.tif 000193
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、
コードワード０は有効であり、コードワード１は有効であり、ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表すｒことを特徴とする請求項２２に記載のデータを受信するための装置。
【請求項３４】
ＤＭＲＳ構成タイプが第２のタイプであり、ＤＭＲＳシンボルの最大数が２である場合、{Ｐ０,…，Ｐｖ−１}の値は、以下のテーブルによって決定され、
【表２４−１】
2021510284.tif 000194
【表２４−２】
2021510284.tif 000195
【表２４−３】
2021510284.tif 000196
【表２４−４】
2021510284.tif 000197
【表２４−５】
2021510284.tif 000198
【表２４−６】
2021510284.tif 000199
【表２４−７】
2021510284.tif 000200
【表２４−８】
2021510284.tif 000201
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａはデータなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表すことを特徴とする請求項２２に記載のデータを受信するための装置。
【請求項３５】
所定の復調参考信号（ＤＭＲＳ）ポートのＤＭＲＳ順序付けルールを決定するように構成された決定ユニットと、
前記所定のＤＭＲＳポートの順序付けルールに従って、データ層を伝送に使用されるＤＭＲＳポートにマッピングして端末に送信するように構成された送信ユニットとを備えることを特徴とするデータを送信するための装置。
【請求項３６】
所定のＤＭＲＳポートの順序付けルールを決定するように構成された決定ユニットと、
前記所定のＤＭＲＳポートの順序付けルールに従って、復調参考信号（ＤＭＲＳ）ポートにマッピングされて送信されたデータ層を受信するように構成された受信ユニットとを備えることを特徴とするデータを受信するための装置。
【請求項３７】
コンピュータ記憶媒体は、コンピュータに請求項１から請求項１７のいずれか一項に記載の方法を実行させるように構成されたコンピュータ実行可能命令を記憶することを特徴とする、コンピュータ記憶媒体。
【発明の詳細な説明】
【技術分野】
【０００１】
関連出願の相互参照
本出願は、２０１８年１月１２日に中国特許局に提出し、出願番号が２０１８１００３２４８４．６であり、発明名称が「データを伝送するための方法および装置ならびにコンピュータ記憶媒体」との中国特許出願を基礎とする優先権を主張し、その開示の総てをここに取り込む。
【０００２】
本発明は、通信技術分野に関し、特にデータを伝送するための方法および装置ならびにコンピュータ記憶媒体に関する。
【背景技術】
【０００３】
新しい無線（Ｎｅｗ Ｒａｄｉｏ，ＮＲ）システムでは、データ復調プロセスは、復調参考信号（Ｄｅｍｏｄｕｌａｔｉｏｎ Ｒｅｆｅｒｅｎｃｅ Ｓｉｇｎａｌ，ＤＭＲＳ）に基づくチャネル推定を必要とする。従来技術では、ＮＲシステムのＤＭＲＳは、対応するデータ層と同じプリコーディング方法で送信される。
【発明の概要】
【発明が解決しようとする課題】
【０００４】
本発明の実施形態は、データを伝送するための方法および装置ならびにコンピュータ記憶媒体を提供し、伝送のための所定のＤＭＲＳポートの順序付けルールに基づいて、伝送に使用されるＤＭＲＳポートへのデータ層のマッピングを実施する。
【課題を解決するための手段】
【０００５】
ネットワーク側では、本発明の実施形態によって提供されるデータを送信するための方法は、
所定の復調参考信号（ＤＭＲＳ）ポートのＤＭＲＳ順序付けルールを決定するステップと、
前記所定のＤＭＲＳポートの順序付けルールに従って、データ層を伝送に使用されるＤＭＲＳポートにマッピングして端末に送信するステップとを備える。
【０００６】
前記データを送信するための方法では、所定の復調参考信号（ＤＭＲＳ）ポートのＤＭＲＳ順序付けルールを決定し、前記所定のＤＭＲＳポートの順序付けルールに従って、データ層を伝送に使用されるＤＭＲＳポートにマッピングして端末に送信する。それによって、伝送のための所定のＤＭＲＳポートの順序付けルールに基づいて、伝送に使用されるＤＭＲＳポートへのデータ層のマッピングを実施する。
【０００７】
それに対応して、端末側では、本発明の実施形態によって提供されるデータを受信するための方法は、
所定のＤＭＲＳポートの順序付けルールを決定するステップと、
前記所定のＤＭＲＳポートの順序付けルールに従って、復調参考信号（ＤＭＲＳ）ポートにマッピングされて送信されたデータ層を受信するステップとを備える。
【０００８】
ネットワーク側では、本発明の実施形態によって提供されるデータを送信するための装置は、メモリおよびプロセッサを含み、前記メモリはプログラム命令を格納するように構成され、前記プロセッサは、前記メモリに格納されたプログラム命令を呼び出して、
所定の復調参考信号（ＤＭＲＳ）ポートのＤＭＲＳ順序付けルールを決定し、
前記所定のＤＭＲＳポートの順序付けルールに従って、データ層を伝送に使用されるＤＭＲＳポートにマッピングして端末に送信する。
【０００９】
端末側では、本発明の実施形態によって提供されるデータを受信するための装置は、メモリおよびプロセッサを含み、前記メモリはプログラム命令を格納するように構成され、前記プロセッサは、前記メモリに格納されたプログラム命令を呼び出して、
所定のＤＭＲＳポートの順序付けルールを決定し、
前記所定のＤＭＲＳポートの順序付けルールに従って、復調参考信号（ＤＭＲＳ）ポートにマッピングされて送信されたデータ層を受信する。
【００１０】
ネットワーク側では、本発明の実施形態によって提供される別の、データを送信するための装置は、
所定の復調参考信号（ＤＭＲＳ）ポートのＤＭＲＳ順序付けルールを決定するように構成された決定ユニットと、
前記所定のＤＭＲＳポートの順序付けルールに従って、データ層を伝送に使用されるＤＭＲＳポートにマッピングして端末に送信するように構成された送信ユニットとを備える。
【００１１】
端末側では、本発明の実施形態によって提供される別の、データを受信するための装置は、
所定のＤＭＲＳポートの順序付けルールを決定するように構成された決定ユニットと、
前記所定のＤＭＲＳポートの順序付けルールに従って、復調参考信号（ＤＭＲＳ）ポートにマッピングされて送信されたデータ層を受信するように構成された受信ユニットとを備える。
【００１２】
本発明の別の実施形態は、コンピュータに上述の方法のいずれか１つを実行させるように構成されたコンピュータ実行可能命令を格納するコンピュータ記憶媒体を提供する。
【図面の簡単な説明】
【００１３】
本発明に係る実施形態や従来の技術案をより明確に説明するために、以下に実施形態を説明するために必要な図面をについて簡単に紹介する。無論、以下の説明における図面は本発明に係る実施形態の一部であり、当業者は、創造性作業を行わないことを前提として、これらの図面に基づいて他の図面を得ることができる。
【図１】本発明の実施形態によって提供される第１のＤＭＲＳのパターン概略図である。
【図２】本発明の実施形態によって提供される第２のＤＭＲＳのパターン概略図である。
【図３】本発明の実施形態によって提供される第３のＤＭＲＳのパターン概略図である。
【図４】本発明の実施形態によって提供される第４のＤＭＲＳのパターン概略図である。
【図５】本発明の実施形態によって提供されるデータを送信するための方法のフロー概略図である。
【図６】本発明の実施形態によって提供されるデータを受信するための方法のフロー概略図である。
【図７】本発明の実施形態によって提供されるデータを送信するための装置の構造概略図である。
【図８】本発明の実施形態によって提供されるデータを受信するための装置の構造概略図である。
【図９】本発明の実施形態によって提供される別の、データを送信するための装置の構造概略図である。
【図１０】本発明の実施形態によって提供される別の、データを受信するための装置の構造概略図である。
【発明を実施するための形態】
【００１４】
本発明の実施形態は、データを伝送するための方法および装置ならびにコンピュータ記憶媒体を提供し、伝送のための所定のＤＭＲＳポートの順序付けルールに基づいて、伝送に使用されるＤＭＲＳポートへのデータ層のマッピングを実施する。
【００１５】
ＤＭＲＳ基本パターン（ｆｒｏｎｔ−ｌｏａｄ  ＤＭＲＳ）構成は、以下の場合を含む。
【００１６】
構成（Ｃｏｎｆｉｇｕｒａｔｉｏｎ）１：
ＤＭＲＳシンボルの数は１であり、組み合わせ（Ｃｏｍｂｉｎａｔｉｏｎ，ｃｏｍｂ）２＋巡回シフト（ｃｙｃｌｉｃ ｓｈｉｆｔｓ，ＣＳ）２を使用し、これは４つまでのポートをサポートする。
【００１７】
図１を参照すると、ｃｏｍｂ２は、周波数領域多重化であり、例えば、ｃｏｍｂ２の多重化関係は、ポート０と２の間に存在する。ＣＳ２は、例えば、巡回シフト（ｃｙｃｌｉｃ ｓｈｉｆｔｓ，ＣＳ）によるポート間のシーケンスの多重化であるＣＳ２の多重化関係はポート０と１の間に存在する。
【００１８】
ＤＭＲＳシンボルの数は２であり、ｃｏｍ２ ＋ ＣＳ２ ＋ ＴＤ−ＯＣＣ（｛１，１｝および｛１，−１｝）を使用し、これは最大８つのポートをサポートする。ここで、ＴＤ−ＯＣＣ（｛１，１}および{１，−１}）は、時間領域直交カバーコード（ＴＤ−ＯＣＣ）多重化が２つのポート間で使用され、{１，１}および{１，−１}それぞれが２つのポートの多重化係数であることを意味する。
【００１９】
図２を参照すると、ＴＤ−ＯＣＣは、時間領域直交カバーコード（Ｏｒｔｈｏｇｏｎａｌ Ｃｏｖｅｒ Ｃｏｄｅ，ＯＣＣ）多重化であり、例えば、時間領域ＯＣＣ多重化は、ポート０／１と４／５の間で使用される。ここで、ＣＳ２多重化は、ポート０とポート１との間に存在する。ＣＳ２多重化はポート４とポート５の間に存在し、時間領域ＯＣＣ多重化はポート０/１とポート４/５の間に存在する。
【００２０】
構成（Ｃｏｎｆｉｇｕｒａｔｉｏｎ）２：
ＤＭＲＳシンボルの数は１であり、最大６つのポートをサポートする２−ＦＤ−ＯＣＣ（隣接周波数領域リソース要素（Ｒｅｓｏｕｒｃｅ Ｅｌｅｍｅｎｔ，ＲＥ））を使用する。
【００２１】
図３を参照すると、２−ＦＤ−ＯＣＣは、周波数領域ＯＣＣ多重化であり、例えば、周波数領域ＯＣＣ多重化は、ポート０と１の間に存在する。さらに、周波数分割多重化（Ｆｒｅｑｕｅｎｃｙ−ｄｉｖｉｓｉｏｎ ｍｕｌｔｉｐｌｅｘｉｎｇ，ＦＤＭ）モードは、他のポート、たとえば、ＦＤＭモードはポート０/１と２/３の間で使用される。
【００２２】
ＤＭＲＳシンボルの数は２であり、１２個までのポートをサポートする２−ＦＤ−ＯＣＣ（隣接周波数領域ＲＥ）＋ ＴＤ−ＯＣＣ（｛１，１｝および｛１，−１｝）を使用する。
【００２３】
図４を参照すると、ＴＤ−ＯＣＣは、時間領域ＯＣＣ多重化であり、例えば、時間領域ＯＣＣ多重化は、ポート０／１と６／７との間で使用される。
【００２４】
上記の様々なＤＭＲＳパイロットパターン（ｐａｔｔｅｒｎ）から分かるように、構成（ｃｏｎｆｉｇｕｒａｔｉｏｎ）１の場合、サポートされるポートの最大数が４を超えない場合、図１のパターンを構成に使用でき、４を超えるが８を超えない場合、図２のパターンを構成に使用できる。構成２の場合、サポートされるポートの最大数が６を超えない場合、図３のパターンを使用して構成でき、６を超え１２を超えない場合、図４のパターンが構成に使用される。ここでいうポート数とは、各リソース位置で多重化されている全端末のポート数の合計を指す。
【００２５】
補足説明として、図１ないし図４において、最初の２列は制御シンボルフィールド、つまりダウンリンク制御チャネルが占有する必要があるシンボル位置をテーブルし、最後の２列はアップリンク制御チャネルが占有する必要があるシンボル位置をテーブルし、つまりＰＤＳＣＨ（Ｐｈｙｓｉｃａｌ Ｄｏｗｎｌｉｎｋ Ｓｈａｒｅｄ Ｃｈａｎｎｅｌ）データチャネルに使用できないシンボルリソースである。
【００２６】
ＮＲシステムでは、複数の送信／受信ポイント（ＴＲＰ）／アンテナパネル（ｐａｎｅｌ）またはサブアレイの協調送信の場合を考慮する必要があるかもしれない。この場合、異なるＴＲＰ/パネルによって送信された信号は、平均遅延、遅延拡散、平均ドップラーシフト、ドップラー拡散、空間領域受信パラメータなど、比較的独立した大規模な機能を備えている場合がある。したがって、ＮＲでは、２つ以上の参考信号チャネルが同じ大規模パラメータを持っている場合は、準コロケーション（Ｑｕａｓｉ−ｃｏｌｏｃａｔｉｏｎ，ＱＣＬ）と呼ばれる。そうでなければ、それは非ＱＣＬと呼ばれる。前記大規模なパラメータは、例えば、平均遅延、遅延拡散、ドップラーシフト、ドップラー拡散、空間受信パラメータ、平均受信電力などである。さらに、ＱＣＬは、端末は、受信した参考信号ポートが同じまたは異なる物理的位置にあるサイトまたはアンテナサブアレイからのものであると判断できない。２つの参考信号ポートが同じ平均遅延、遅延拡散、ドップラーシフト、ドップラー拡散、空間受信パラメータ、平均受信電力およびその他のパラメーター（またはそのサブ集合）を持っている場合、これら２つの参考信号は、上記の大規模パラメータの意味で、準コロケーションであると見なすことができる。
【００２７】
ＤＭＲＳポートについて、ＮＲシステムは、ＱＣＬグループ（ｇｒｏｕｐ）の概念、すなわち、ＤＭＲＳポートのＱＣＬグループ（以下、略してＱＣＬグループと呼ぶことがある）を定義する：ＱＣＬグループ内の各ＤＭＲＳポートはＱＣＬであり、異なるＱＣＬグループに属するＤＭＲＳポートは非ＱＣＬである。同じコード分割多重化（Ｃｏｄｅ Ｄｉｖｉｓｉｏｎ Ｍｕｌｔｉｐｌｅｘｉｎｇ，ＣＤＭ）グループ内のＤＭＲＳポートがＱＣＬ関係を持つことは、ＮＲシステムで指定されている。つまり、ＣＤＭグループでは、すべての参考信号ポートが同じ時間周波数リソースを占有し、直交コードワードによって区別される。図４を例にとると、ＤＭＲＳ設計の特性により、ＤＭＲＳシンボルがある場合、ポート０/１はＣＤＭ関係にあり、ポート２/３はＣＤＭ関係にあり、ポート０/１とポート２/３の間にＦＤＭ関係がある。図１〜４は、同じ塗りつぶしパターンを持つ隣接ブロックがＣＤＭグループを形成する。各データチャネルは２つのＱＣＬグループをサポートできる。前記データチャネルは、例えば、物理ダウンリンク共有チャネル（Ｐｈｙｓｉｃａｌ Ｄｏｗｎｌｉｎｋ Ｓｈａｒｅｄ Ｃｈａｎｎｅｌ，ＰＤＳＣＨ）である。
【００２８】
本発明の実施形態で説明される前記ＤＭＲＳポートのＱＣＬグループは、略してＱＣＬグループと呼ばれることもあり、ＤＭＲＳグループと呼ばれることもある。
【００２９】
本発明の実施形態で説明されるＤＭＲＳポートは、略してポートと呼ばれることもあるし、アンテナポートと呼ばれることもある。
【００３０】
本発明の実施形態によって提供される特定の解決策は、以下を含む。
【００３１】
図５を参照すると、ネットワーク側、例えば、基地局側では、本出願の実施形態によって提供されるデータを伝送するための方法は、以下を含む。
【００３２】
Ｓ１０１：所定の復調参考信号（ＤＭＲＳ）ポートのＤＭＲＳ順序付けルールを決定する。
【００３３】
Ｓ１０２：前記所定のＤＭＲＳポートの順序付けルールに従って、データ層を伝送に使用されるＤＭＲＳポートにマッピングして端末に送信する。
【００３４】
必要に応じて、本発明の実施形態では、ＤＭＲＳポートベクトルを
【数１】
2021510284.tif 000003
として記録され、{Ｐ０,…，Ｐｖ−１}はｖ個のＤＭＲＳポートの番号から構成された集合、例えば、ここで、任意の要素の値（つまり、任意のポート番号の値）は、[０、１１]の範囲の整数である。
【００３５】
任意選択で、所定のＤＭＲＳポートの順序付けルールに従ってデータ層を伝送に使用されるＤＭＲＳポートにマッピングして端末に送信することは、具体的には以下を含む。
【００３６】
次の式に従って、ｖ個のデータ層をｖ個のＤＭＲＳポートにマッピングして端末に送信する：
【００３７】
【数２】
2021510284.tif 000004
【００３８】
ここで、
【数３】
2021510284.tif 000005
ｉは、各データ層需要伝送される必要がある
【数４】
2021510284.tif 000006
個の変調シンボルにおけるｉ番目の変調シンボルをテーブルす。Ｐ０,…，Ｐｖ−１はｖ個のＤＭＲＳポートの番号をテーブルす。
【数５】
2021510284.tif 000007
は、所定のＤＭＲＳポートの順序付けルールに従って決定されたｖ個のＤＭＲＳポートのベクトルであり、各ＤＭＲＳポートを番号で順序つけすることによって取得されたＤＭＲＳポート信号ベクトルである。
【数６】
2021510284.tif 000008
は、並列に送信されたマルチ入力マルチ出力（ＭＩＭＯ）伝送データ層の数ｖに従って各データ層を番号で順序つけすることによって取得された送信信号ベクトルである。
【数７】
2021510284.tif 000009
は、データ層x(0)(i)を伝送に使用されるＤＭＲＳポートy(P0)(i)にマッピングして端末に送信することをテーブルす。同様に、データ層x(v-1)(i)を伝送に使用されるＤＭＲＳポートy(Pv-1)(i)にマッピングして端末に送信する。
【００３９】
任意選択で、前記ＤＭＲＳポートの順序付けルールは、以下のスキームのうちの１つで事前に設定される：
スキーム１−１：ＤＭＲＳポートベクトルに含まれるＤＭＲＳポート番号の小さいものから大きいものへの順で排列する。
【００４０】
スキーム１−２：ＤＭＲＳポートベクトルに含まれるＤＭＲＳポートが属するＣＤＭグループの番号にしたがって、ＣＤＭグループの順序を付ける。たとえば、
２つのＣＤＭグループが含まれる場合、順序は０、１または１、０である。
【００４１】
３つのＣＤＭグループが含まれる場合、順序は０、１、２または０、２、１または１、０、２または１、２、０または２、０、１または２、１、０である。
【００４２】
各ＣＤＭグループについて、ＤＭＲＳポートの数に従ってグループ内のＤＭＲＳポートを順序つけする。たとえば、ＤＭＲＳポートの番号の小さい順から大きい順で順序つけする。
【００４３】
スキーム１−３：
単一コードワード送信の場合、前記スキーム１−１またはスキーム１−２が採用され、
デュアルコードワード送信の場合、以下のステップ１及びステップ２を含む。
【００４４】
ステップ１：構成または指定されたＤＭＲＳ ＱＣＬグルーピングパラメーターに従って、各ＤＭＲＳグループについて、ダウンリンク制御情報（Ｄｏｗｎｌｉｎｋ Ｃｏｎｔｒｏｌ Ｉｎｆｏｒｍａｔｉｏｎ，ＤＣＩ）によって割り当てられたＤＭＲＳポートにおいて、ＤＭＲＳポートをグルーピングし、
ＤＭＲＳポート番号の小さいものから大きいものへの順番にしたがってＤＭＲＳポート順序をつける。または
グループ内の各ＤＭＲＳポートが属するＣＤＭグループの番号にしたがってＣＤＭグループ順序をつけ、各ＣＤＭグループにおいて、ＤＭＲＳポート番号の小さいものから大きいものへの順で順序つけを実行する。
【００４５】
ステップ２：ＤＭＲＳグループ間の順序つけ：
データ層の数が奇数の場合：
ＤＭＲＳポートの数が少ないグループを前の位置に配置し、または
ＤＭＲＳグループの番号に従って各ＤＭＲＳグループを順序つけする。たとえば、ＤＭＲＳグループ１、ＤＭＲＳグループ２、またはＤＭＲＳグループ２、ＤＭＲＳグループ１。および対応するＤＭＲＳグループの順序をつける。
【００４６】
本願の実施形態で説明される「データ層」（すなわち、ｌａｙｅｒ）は、ＭＩＭＯによって送信されるデータストリームを指す。
【００４７】
データ層の数が偶数の場合：
コードワード１に対応するＤＭＲＳポートの集合（１つのＤＭＲＳグループに対応）が、層の数が−１であるときに、コードワード１に対応するＤＭＲＳポートの集合（１つのＤＭＲＳグループに対応）と同じであることを確認する。コードワード０に対応するＤＭＲＳポートの集合（１つのＤＭＲＳグループに対応）には、層の数が−１であるときに、コードワード０に対応するＤＭＲＳポートの集合（１つのＤＭＲＳグループに対応）が含まれる。例としてケース２-２-２の場合、デュアルコードワード、かつｖａｌｕｅ=２および３の場合、それぞれｒａｎｋ５と６に対応する。ｒａｎｋ５の場合、占有されるポートが０、１、２、３、６で、順序は２、３、０、１、６である。現在のコードワードから層へのマッピング関係によれば、コードワード０はポート２と３にマッピングされ、コードワード１はポート０、１、６にマッピングされる。次に、ｒａｎｋ６の場合、ポート順序２３８０１６を選択して、コードワード１が引き続きポート０、１、６を使用し、コードワード０に使用されるポート集合にはポート８が追加される。
【００４８】
または、ＤＭＲＳグループの番号に従って各ＤＭＲＳグループを順序つけする。たとえば、ＤＭＲＳグループ１，ＤＭＲＳグループ２またはＤＭＲＳグループ２、ＤＭＲＳグループ１、および対応するＤＭＲＳグループの順序をつける。
【００４９】
スキーム１−４：
１つのＤＭＲＳグループを使用する場合は、前記スキーム１−１またはスキーム１−２が採用される。
【００５０】
２つのＤＭＲＳグループを使用する場合、
高位層によって構成されたＤＭＲＳ ＱＣＬグルーピングパラメーターに基づいて、ＤＣＩによって割り当てられたＤＭＲＳポーにおいてＤＭＲＳポートをグルーピングする（たとえば、ＤＣＩによって割り当てられたＤＭＲＳポーにおいて、ＤＭＲＳグループ１に属するものは１つのグループに分けられ、ＤＭＲＳグループ２に属するものは１つのグループに分けられる）。ＤＭＲＳグループごとにＤＭＲＳポート番号の小さいものから大きいものへの順でＤＭＲＳポートの順序を付け、またはＤＭＲＳグループ内の各ＤＭＲＳポートが属するＣＤＭグループの番号にしたがって、ＣＤＭグループの順序を付け、各ＣＤＭグループにおいて、ＤＭＲＳポート番号の小さいものから大きいものへの順で順序つけを実行する。
【００５１】
ＤＭＲＳポート数が少ないＤＭＲＳグループを前の位置に配置する。
【００５２】
上記のスキームたちは、端末側の方法にも適用可能であることに留意されたい。すなわち、端末側は、上記のスキームでＤＭＲＳポート順序付けルールを決定することもできるが、これについては後で詳細に説明しない。
【００５３】
必要に応じて、上記方法はさらに以下を含む。
【００５４】
端末にＤＣＩに従ってＤＭＲＳポートの構成パラメータを決定させるように、前記端末にＤＣＩを送信する。ＤＣＩは、例えば、現在のＤＭＲＳ高位層構成パラメータ、例えば、ＤＭＲＳ構成タイプおよびＤＭＲＳシンボルの最大数（すなわち、ＤＭＲＳ送信中に使用される連続シンボルの最大数）を含む。ここで、前記ＤＭＲＳ構成タイプは、たとえば、ダウンリンクＤＭＲＳ構成タイプ（ＤＬ−ＤＭＲＳ−ｃｏｎｆｉｇ−ｔｙｐｅ）、およびもちろんアップリンクＤＭＲＳ構成タイプも可能である。前記ＤＭＲＳシンボルの最大数は、例えば、ダウンリンクＤＭＲＳシンボルの最大数（ＤＬ−ＤＭＲＳ−ｍａｘ−ｌｅｎ）であり、もちろん、アップリンクも可能である。
【００５５】
したがって、図６を参照すると、端末側では、本発明の実施形態によって提供されるデータを受信するための方法は、以下を含む。
【００５６】
Ｓ２０１：所定のＤＭＲＳポートの順序付けルールを決定する。
【００５７】
Ｓ２０２：前記所定のＤＭＲＳポートの順序付けルールに従って、復調参考信号（ＤＭＲＳ）ポートにマッピングされて送信されたデータ層を受信する。
【００５８】
任意選択で、前記所定のＤＭＲＳポートの順序付けルールに従って、復調参考信号（ＤＭＲＳ）ポートにマッピングされて送信されたデータ層を受信することは、具体的には以下を含む。
【００５９】
次の式に従って、伝送に使用されるＤＭＲＳポートにマッピングされて送信されたデータ層を受信し：
【００６０】
【数８】
2021510284.tif 000010
【００６１】
ここで、
【数９】
2021510284.tif 000011
ｉは各データ層需要伝送される必要がある
【数１０】
2021510284.tif 000012
個の変調シンボルにおけるｉ番目の変調シンボルを表し、Ｐ０,…，Ｐｖ−１はｖ個のＤＭＲＳポートの番号を表し、
【数１１】
2021510284.tif 000013
は、所定のＤＭＲＳポートの順序付けルールにしたがって決定されたｖ個のＤＭＲＳポートのベクトルであり、
【数１２】
2021510284.tif 000014
は、並列に送信されたマルチ入力マルチ出力（ＭＩＭＯ）伝送データ層の数ｖに従って各データ層を番号で順序つけすることによって取得された送信信号ベクトルである。
【数１３】
2021510284.tif 000015
は伝送に使用されるＤＭＲＳポートy(P0)(i)上でデータ層x(0)(i)を受信することを表し、このように、伝送に使用されるＤＭＲＳポートy(Pv-1)(i)上でデータ層x(v-1)(i)を受信する。
【００６２】
任意選択で、端末は、以下のスキームのうちの１つで
【数１４】
2021510284.tif 000016
決定することができる：
スキーム３−１：
端末は取得さえたＤＣＩに従って、現在ＤＭＲＳ高位層構成パラメータである、ＤＭＲＳ構成タイプ（たとえば、ＤＬ−ＤＭＲＳ−ｃｏｎｆｉｇ−ｔｙｐｅ）とダウンリンクＤＭＲＳシンボルの最大数（たとえば、ＤＬ−ＤＭＲＳ−ｍａｘ−ｌｅｎ）（すなわち、ＤＭＲＳ送信中に使用される連続するシンボルの最大数）の条件下で、当該端末に使用されるＤＭＲＳポート集合を決定する。
【００６３】
端末は、上記使用されるＤＭＲＳポート集合と
【数１５】
2021510284.tif 000017
の間の対応関係（たとえば、以下のケース１で提供されるリストまたはケース２で提供されるリストを参照）に従って、
【数１６】
2021510284.tif 000018
を決定する。
【００６４】
方法３−２：
端末は取得されたＤＣＩに従って、現在ＤＭＲＳ高位層構成パラメータである、ＤＬ−ＤＭＲＳ−ｃｏｎｆｉｇ−ｔｙｐｅとＤＬ−ＤＭＲＳ−ｍａｘ−ｌｅｎの条件下でコードワードの数、各コードワードのスイッチ状態、およびアンテナポート指示情報フィールドと
【数１７】
2021510284.tif 000019
の間の対応関係（ケース３で提供されるリストを参照）を決定して、
【数１８】
2021510284.tif 000020
を決定する。
【００６５】
前記アンテナポート指示情報フィールドは、例えば、以下のケース３で提供されるリストのｖａｌｕｅの列、すなわち、ＤＣＩでのＤＭＲＳポート割り当てを示すために使用される情報フィールド、すなわち、ケース３のリストのｖａｌｕｅの列である。各ｖａｌｕｅは、コードワードの数およびそのスイッチ状態、占有されたＣＤＭグループの数、使用されたフロントロードＤＭＲＳシンボルの数の組み合わせ状態で端末に割り当てられたＤＭＲＳポートの集合、ＤＭＲＳポート集合に対応する。たとえば、ケース３では、順序つけされたＤＭＲＳポートの集合はすなわち、Ｐ０からＰｖ−１である。
【００６６】
以下に、ケース１、ケース２、ケース３の３つのケースをそれぞれ示す。
【００６７】
ケース１：
高位層構成パラメータＤＬ−ＤＭＲＳ−ｃｏｎｆｉｇ−ｔｙｐｅおよびＤＬ−ＤＭＲＳ−ｍａｘ−ｌｅｎに従って、次の表のｃａｓｅ１−１−１：ｃａｓｅ１−１−２、ｃａｓｅ１−２−１：ｃａｓｅ１−２−２で示す方法で、ＤＭＲＳポートベクトル
【数１９】
2021510284.tif 000021
中の{Ｐ０,…，Ｐｖ−１}の特定の値がそれぞれ決定される。
【００６８】
ここで、ＤＭＲＳポートの集合（ケース１における各テーブルのＤＭＲＳポート（ＤＭＲＳ ｐｏｒｔ（ｓ））に対応する列）は、ＤＣＩによって決定される。
【００６９】
高位層によって構成されたＤＭＲＳ構成パラメータがＤＬ−ＤＭＲＳ−ｃｏｎｆｉｇ−ｔｙｐｅ=１であり、ＤＬ−ＤＭＲＳ−ｍａｘ−ｌｅｎ=１である場合、ＤＭＲＳポートベクトル
【数２０】
2021510284.tif 000022
中の{Ｐ０,…，Ｐｖ−１}の特定の値は、以下のテーブルｃａｓｅ１−１−１に示す。
【００７０】
任意選択で、ＤＭＲＳ構成タイプが第１のタイプ（たとえば、ＤＬ−ＤＭＲＳ−ｃｏｎｆｉｇ−ｔｙｐｅ=１）、ＤＭＲＳシンボルの最大数が１（たとえば、ＤＬ−ＤＭＲＳ−ｍａｘ−ｌｅｎ=１）である場合、{Ｐ０,…，Ｐｖ−１}の値は、テーブルｃａｓｅ１-１-１によって決定される。
【００７１】
【表１】
2021510284.tif 000023
【００７２】
ここで、ＤＭＲＳ ｐｏｒｔ(ｓ)は、ＤＭＲＳポート集合を表し、ＤＣＩにより端末に通知される。
【００７３】
テーブル中の０−２は、ＤＭＲＳポート０、ＤＭＲＳポート１およびＤＭＲＳポート２を含むことを意味する。テーブル中の０−３は、ＤＭＲＳポート０、ＤＭＲＳポート１、ＤＭＲＳポート２およびＤＭＲＳポート３を含むことを意味する。以下のテーブルも同様に説明されており、後で詳しく説明しない。
【００７４】
高位層によって構成されたＤＭＲＳ構成パラメータが、ＤＬ−ＤＭＲＳ−ｃｏｎｆｉｇ−ｔｙｐｅ=１、ＤＬ−ＤＭＲＳ−ｍａｘ−ｌｅｎ=２である場合、ＤＭＲＳポートベクトル
【数２１】
2021510284.tif 000024
中の{Ｐ０,…，Ｐｖ−１}の値は、以下のテーブルｃａｓｅ１-１-２によって決定される。
【００７５】
すなわち、任意選択で、ＤＭＲＳ構成タイプが第１のタイプ（たとえば、ＤＬ−ＤＭＲＳ−ｃｏｎｆｉｇ−ｔｙｐｅ=１）、ＤＭＲＳシンボルの最大数が２（たとえば、ＤＬ−ＤＭＲＳ−ｍａｘ−ｌｅｎ=２）である場合、{Ｐ０,…，Ｐｖ−１}の特定の値は、テーブルｃａｓｅ１−１−２によって決定される。
【００７６】
【表２−１】
2021510284.tif 000025
【表２−２】
2021510284.tif 000026
【表２−３】
2021510284.tif 000027
【表２−４】
2021510284.tif 000028
【表２−５】
2021510284.tif 000029
【００７７】
ここで、ＤＭＲＳ ｐｏｒｔ(ｓ)は、ＤＭＲＳポート集合を表し、ＤＣＩにより端末に通知される。
【００７８】
高位層によって構成されたＤＭＲＳ構成パラメータがＤＬ−ＤＭＲＳ−ｃｏｎｆｉｇ−ｔｙｐｅ=２、ＤＬ−ＤＭＲＳ−ｍａｘ−ｌｅｎ=１である場合、ＤＭＲＳポートベクトル
【数２２】
2021510284.tif 000030
中の{Ｐ０,…，Ｐｖ−１}の特定の値は、テーブルｃａｓｅ１−２−１によって決定される。
【００７９】
すなわち、任意選択で、ＤＭＲＳ構成タイプが第２のタイプ（たとえば、ＤＬ−ＤＭＲＳ−ｃｏｎｆｉｇ−ｔｙｐｅ=２）、ＤＭＲＳシンボルの最大数が１（たとえば、ＤＬ−ＤＭＲＳ−ｍａｘ−ｌｅｎ=１）である場合、{Ｐ０,…，Ｐｖ−１}の値は、以下のテーブルｃａｓｅ１−２−１によって決定される。
【００８０】
【表３−１】
2021510284.tif 000031
【表３−２】
2021510284.tif 000032
【表３−３】
2021510284.tif 000033
【００８１】
ここで、ＤＭＲＳ ｐｏｒｔ(ｓ)は、ＤＭＲＳポート集合を表し、ＤＣＩにより端末に通知される。
【００８２】
高位層によって構成されたＤＭＲＳ構成パラメータがＤＬ−ＤＭＲＳ−ｃｏｎｆｉｇ−ｔｙｐｅ=２、ＤＬ−ＤＭＲＳ−ｍａｘ−ｌｅｎ=２である場合、ＤＭＲＳポートベクトル
【数２３】
2021510284.tif 000034
中の{Ｐ０,…，Ｐｖ−１}の特定の値はテーブルｃａｓｅ１−２−２によって決定される。
【００８３】
すなわち、任意選択で、ＤＭＲＳ構成タイプが第２のタイプ（たとえば、ＤＬ−ＤＭＲＳ−ｃｏｎｆｉｇ−ｔｙｐｅ=２）、ＤＭＲＳシンボルの最大数が２（たとえば、ＤＬ−ＤＭＲＳ−ｍａｘ−ｌｅｎ=２）である場合、{Ｐ０,…，Ｐｖ−１}の特定の値は、テーブルｃａｓｅ１−２−２によって決定される。
【００８４】
【表４−１】
2021510284.tif 000035
【表４−２】
2021510284.tif 000036
【表４−３】
2021510284.tif 000037
【表４−４】
2021510284.tif 000038
【表４−５】
2021510284.tif 000039
【表４−６】
2021510284.tif 000040
【００８５】
ここで、ＤＭＲＳ ｐｏｒｔ(ｓ)は、ＤＭＲＳポート集合を表し、ＤＣＩにより端末に通知される。
【００８６】
ｃａｓｅ２：
高位層構成パラメータＤＬ−ＤＭＲＳ−ｃｏｎｆｉｇ−ｔｙｐｅとＤＬ−ＤＭＲＳ−ｍａｘ−ｌｅｎに従って、テーブルｃａｓｅ２−１−１：ｃａｓｅ２−１−２、ｃａｓｅ２−２−１：ｃａｓｅ２−２−２それぞれに示す方法で、ＤＭＲＳポートベクトル
【数２４】
2021510284.tif 000041
中の{Ｐ０,…，Ｐｖ−１}の特定の値を決定する。
【００８７】
ここで、アンテナポート指示情報フィールドの値およびＤＭＲＳポート集合（ｃａｓｅ２の各テーブルのＤＭＲＳ ｐｏｒｔ（ｓ）に対応する列）は、ＤＣＩによって決定される。
【００８８】
高位層によって構成されたＤＭＲＳ構成パラメータがＤＬ−ＤＭＲＳ−ｃｏｎｆｉｇ−ｔｙｐｅ=１、ＤＬ−ＤＭＲＳ−ｍａｘ−ｌｅｎ=１である場合、ＤＭＲＳポートベクトル
【数２５】
2021510284.tif 000042
中の{Ｐ０,…，Ｐｖ−１}の特定の値は、テーブルｃａｓｅ２−１−１に示す。
【００８９】
すなわち、任意選択で、ＤＭＲＳ構成タイプが第１のタイプであり、ＤＭＲＳシンボルの最大数が１である場合、{Ｐ０,…，Ｐｖ−１}の値は、テーブルｃａｓｅ２−１−１によって決定される。
【００９０】
【表５】
2021510284.tif 000043
【００９１】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、ＤＭＲＳ ｐｏｒｔ(ｓ)は、ＤＭＲＳポート集合を表し、ＤＣＩにより端末に通知される。
【００９２】
高位層によって構成されたＤＭＲＳ構成パラメータがＤＬ−ＤＭＲＳ−ｃｏｎｆｉｇ−ｔｙｐｅ=１、ＤＬ−ＤＭＲＳ−ｍａｘ−ｌｅｎ=２である場合、ＤＭＲＳポートベクトル
【数２６】
2021510284.tif 000044
中の{Ｐ０,…，Ｐｖ−１}値は、テーブルｃａｓｅ２−１−２に示される。
【００９３】
すなわち、任意選択で、ＤＭＲＳ構成タイプが第１のタイプであり、ＤＭＲＳシンボルの最大数が２である場合、{Ｐ０,…，Ｐｖ−１}値は、テーブルｃａｓｅ２−１−２によって決定される。
【００９４】
【表６−１】
2021510284.tif 000045
【表６−２】
2021510284.tif 000046
【表６−３】
2021510284.tif 000047
【表６−４】
2021510284.tif 000048
【表６−５】
2021510284.tif 000049
【００９５】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知される。
【００９６】
高位層によって構成されたＤＭＲＳ構成パラメータがＤＬ−ＤＭＲＳ−ｃｏｎｆｉｇ−ｔｙｐｅ=２、ＤＬ−ＤＭＲＳ−ｍａｘ−ｌｅｎ=１である場合、ＤＭＲＳポートベクトル
【数２７】
2021510284.tif 000050
中の{Ｐ０,…，Ｐｖ−１}の値は、テーブルｃａｓｅ２−２−１に示される。
【００９７】
すなわち、任意選択で、ＤＭＲＳ構成タイプが第２のタイプであり、ＤＭＲＳシンボルの最大数が１である場合、{Ｐ０,…，Ｐｖ−１}の値は、テーブルｃａｓｅ２−２−１によって決定される。
【００９８】
【表７−１】
2021510284.tif 000051
【表７−２】
2021510284.tif 000052
【表７−３】
2021510284.tif 000053
【表７−４】
2021510284.tif 000054
【００９９】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知される。
【０１００】
高位層によって構成されたＤＭＲＳ構成パラメータがＤＬ−ＤＭＲＳ−ｃｏｎｆｉｇ−ｔｙｐｅ=２、ＤＬ−ＤＭＲＳ−ｍａｘ−ｌｅｎ=２である場合、ＤＭＲＳポートベクトル
【数２８】
2021510284.tif 000055
中の{Ｐ０,…，Ｐｖ−１}の値は、テーブルｃａｓｅ２−２−２に示される。
【０１０１】
すなわち、任意選択で、ＤＭＲＳ構成タイプが第２のタイプであり、ＤＭＲＳシンボルの最大数が２である場合、{Ｐ０,…，Ｐｖ−１}の値は、テーブルｃａｓｅ２−２−２によって決定される。
【０１０２】
【表８−１】
2021510284.tif 000056
【表８−２】
2021510284.tif 000057
【表８−３】
2021510284.tif 000058
【表８−４】
2021510284.tif 000059
【表８−５】
2021510284.tif 000060
【表８−６】
2021510284.tif 000061
【表８−７】
2021510284.tif 000062
【表８−８】
2021510284.tif 000063
【表８−９】
2021510284.tif 000064
【表８−１０】
2021510284.tif 000065
【０１０３】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知される。
【０１０４】
ｃａｓｅ３：
高位層構成パラメータＤＬ−ＤＭＲＳ−ｃｏｎｆｉｇ−ｔｙｐｅ及びＤＬ−ＤＭＲＳ−ｍａｘ−ｌｅｎに従って、テーブルｃａｓｅ３−１−１：ｃａｓｅ３−１−２、ｃａｓｅ３−２−１：ｃａｓｅ３−２−２それぞれに示す方法で、ＤＣＩのコードワードの数、各コードワードのスイッチ状態、アンテナポート指示情報フィールド（ｃａｓｅ３の各テーブルのｖａｌｕｅ列）とＤＭＲＳポートベクトル
【数２９】
2021510284.tif 000066
の間の対応関係に従って、ＤＭＲＳポートベクトル
【数３０】
2021510284.tif 000067
中の{Ｐ０,…，Ｐｖ−１}の値を決定する。
【０１０５】
高位層によって構成されたＤＭＲＳ構成パラメータがＤＬ−ＤＭＲＳ−ｃｏｎｆｉｇ−ｔｙｐｅ=１、ＤＬ−ＤＭＲＳ−ｍａｘ−ｌｅｎ=１である場合、ＤＭＲＳポートベクトル
【数３１】
2021510284.tif 000068
中の{Ｐ０,…，Ｐｖ−１}の値は、テーブルｃａｓｅ３−１−１に示される。
【０１０６】
すなわち、任意選択で、ＤＭＲＳ構成タイプが第１のタイプであり、ＤＭＲＳシンボルの最大数が１である場合、{Ｐ０,…，Ｐｖ−１}の値は、テーブルｃａｓｅ３−１−１によって決定される。
【０１０７】
【表９】
2021510284.tif 000069
【０１０８】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表す。
【０１０９】
高位層によって構成されたＤＭＲＳ構成パラメータがＤＬ−ＤＭＲＳ−ｃｏｎｆｉｇ−ｔｙｐｅ=１、ＤＬ−ＤＭＲＳ−ｍａｘ−ｌｅｎ=２である場合、ＤＭＲＳポートベクトル
【数３２】
2021510284.tif 000070
中の{Ｐ０,…，Ｐｖ−１}の値は、テーブルｃａｓｅ３−１−２に示す。
【０１１０】
すなわち、任意選択で、ＤＭＲＳ構成タイプが第１のタイプであり、ＤＭＲＳシンボルの最大数が２である場合、{Ｐ０,…，Ｐｖ−１}の値は、テーブルｃａｓｅ３−１−２によって決定される。
【０１１１】
【表１０−１】
2021510284.tif 000071
【表１０−２】
2021510284.tif 000072
【表１０−３】
2021510284.tif 000073
【表１０−４】
2021510284.tif 000074
【表１０−５】
2021510284.tif 000075
【０１１２】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａはデータなしのＤＭＲＳ ＣＤＭグループの数を表し、Ｎｕｍｂｅｒ ｏｆ ｆｒｏｎｔ−ｌｏａｄ ｓｙｍｂｏｌｓは、フロントロードＤＭＲＳシンボルの数を表す。
【０１１３】
高位層によって構成されたＤＭＲＳ構成パラメータがＤＬ−ＤＭＲＳ−ｃｏｎｆｉｇ−ｔｙｐｅ=２、ＤＬ−ＤＭＲＳ−ｍａｘ−ｌｅｎ=１である場合、ＤＭＲＳポートベクトル
【数３３】
2021510284.tif 000076
中の{Ｐ０,…，Ｐｖ−１}の値は、テーブルｃａｓｅ３−２−１に示す。
【０１１４】
すなわち、任意選択で、ＤＭＲＳ構成タイプが第２のタイプであり、ＤＭＲＳシンボルの最大数が１である場合、{Ｐ０,…，Ｐｖ−１}の値は、テーブルｃａｓｅ３−２−１によって決定される。
【０１１５】
【表１１−１】
2021510284.tif 000077
【表１１−２】
2021510284.tif 000078
【表１１−３】
2021510284.tif 000079
【表１１−４】
2021510284.tif 000080
【０１１６】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表す。
【０１１７】
高位層によって構成されたＤＭＲＳ構成パラメータがＤＬ−ＤＭＲＳ−ｃｏｎｆｉｇ−ｔｙｐｅ=２、ＤＬ−ＤＭＲＳ−ｍａｘ−ｌｅｎ=２である場合、ＤＭＲＳポートベクトル
【数３４】
2021510284.tif 000081
中の{Ｐ０,…，Ｐｖ−１}の値は、テーブルｃａｓｅ３−２−２に示す。
【０１１８】
すなわち、任意選択で、ＤＭＲＳ構成タイプが第２のタイプであり、ＤＭＲＳシンボルの最大数が２である場合、{Ｐ０,…，Ｐｖ−１}の値は、テーブルｃａｓｅ３−２−２によって決定される。
【０１１９】
【表１２−１】
2021510284.tif 000082
【表１２−２】
2021510284.tif 000083
【表１２−３】
2021510284.tif 000084
【表１２−４】
2021510284.tif 000085
【表１２−５】
2021510284.tif 000086
【表１２−６】
2021510284.tif 000087
【表１２−７】
2021510284.tif 000088
【表１２−８】
2021510284.tif 000089
【０１２０】
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、ＶａｌｕｅはＤＭＲＳポート指示情報フィールドの値を表し、Ｎｕｍｂｅｒ ｏｆ ＤＭＲＳ ＣＤＭ ｇｒｏｕｐ(ｓ) ｗｉｔｈｏｕｔ ｄａｔａはデータなしのＤＭＲＳ ＣＤＭグループの数を表し、Ｎｕｍｂｅｒ ｏｆ ｆｒｏｎｔ−ｌｏａｄ ｓｙｍｂｏｌｓは、フロントロードＤＭＲＳシンボルの数を表す。
【０１２１】
ネットワーク側では、図７を参照すると、本発明の実施形態によって提供されるデータを送信するための装置は、メモリ５２０およびプロセッサ５００を含み、前記メモリはプログラム命令を格納するように構成され、前記プロセッサは、前記メモリに格納されたプログラム命令を呼び出し、取得したプログラムに従って、所定の復調参考信号（ＤＭＲＳ）ポートのＤＭＲＳ順序付けルールを決定し、
前記所定のＤＭＲＳポートの順序付けルールに従って、データ層を伝送に使用されるＤＭＲＳポートにマッピングして送受信機を介して５１０端末に送信する。
【０１２２】
ここで、図７のバスインターフェース、送受信機５１０などはすべて、本出願の実施形態によって提供されるデータを送信するための装置内のオプションのデバイスとして存在することができ、必ずしも必要ではないことに留意されたい。
【０１２３】
任意選択で、前記ＤＭＲＳポートの順序付けルールは、以下のスキームのうちの１つで事前に設定される：
スキーム１−１：ＤＭＲＳポートベクトルに含まれるＤＭＲＳポート番号の小さいものから大きいものへの順で排列する。
【０１２４】
スキーム１−２：ＤＭＲＳポートベクトルに含まれるＤＭＲＳポートが属するＣＤＭグループの番号にしたがって、ＣＤＭグループの順序を付け、各ＣＤＭグループについて、ＤＭＲＳポート番号に従ってグループ内のＤＭＲＳポートの順序を付ける。
【０１２５】
スキーム１−３：
単一コードワード送信の場合、前記スキーム１−１またはスキーム１−２が採用され、
デュアルコードワード伝送の場合：
構成または指定されたＤＭＲＳ ＱＣＬグルーピングパラメーターに従って、各ＤＭＲＳグループについて、ＤＣＩによって割り当てられたＤＭＲＳポートをグルーピングし
ＤＭＲＳポート番号の小さいものから大きいものへの順番にしたがってＤＭＲＳポート順序をつけ、または
グループ内の各ＤＭＲＳポートが属するＣＤＭグループの番号にしたがってＣＤＭグループ順序をつけ、各ＣＤＭグループにおいて、ＤＭＲＳポート番号の小さいものから大きいものへの順で順序つけを実行する。
【０１２６】
データ層の数が奇数の場合：
ＤＭＲＳポートの数が少ないグループを前の位置に配置し、または
ＤＭＲＳグループの番号に従って各ＤＭＲＳグループの順序をつける。
【０１２７】
データ層の数が偶数の場合：
コードワード１に対応するＤＭＲＳポート集合が、層の数が−１である場合の、コードワード１に対応するＤＭＲＳポート集合と同じになることを確保し、そして、コードワード０に対応するＤＭＲＳポート集合は、層の数が−１である場合の、コードワード０に対応するＤＭＲＳポート集合を含み、または、
ＤＭＲＳグループの番号に従って各ＤＭＲＳグループの順序をつける。
【０１２８】
スキーム１−４：
１つのＤＭＲＳグループを使用する場合は、前記スキーム１−１またはスキーム１−２が採用され、
２つのＤＭＲＳグループを使用する場合、
高位層によって構成されたＤＭＲＳ ＱＣＬグルーピングパラメーターに基づいて、各ＤＭＲＳグループについて、ＤＣＩによって割り当てられたＤＭＲＳポートをグルーピングし
ＤＭＲＳポート番号の小さいものから大きいものへの順番にしたがってＤＭＲＳポート順序をつけ、または
ＤＭＲＳグループ内の各ＤＭＲＳポートが属するＣＤＭグループの番号にしたがって、ＣＤＭグループの順序を付け、各ＣＤＭグループにおいて、ＤＭＲＳポート番号の小さいものから大きいものへの順で順序つけを実行し、
ＤＭＲＳポート数が少ないＤＭＲＳグループを前の位置に配置する。
【０１２９】
任意選択で、前記プロセッサはさらに、端末にＤＣＩに従ってＤＭＲＳポートの構成パラメータを決定させるように、送受信機を介して前記端末にＤＣＩを送信する。
【０１３０】
送受信機５１０は、プロセッサ５００の制御下でデータを受信および送信するように構成される。
【０１３１】
ここで、図７において、バスアーキテクチャは、任意の数の相互接続されたバスおよびブリッジを含み得、特に、プロセッサ５００によってテーブルされる１つ以上のプロセッサの様々な回路およびメモリ５２０によってテーブルされるメモリをリンクし得る。さらに、周辺装置、電圧調整器、電力管回路などのさまざまな他の回路をリンクすることができ、これらはすべて当技術分野でよく知られており、したがって、本明細書では再度さらに説明しない。バスインターフェースはインターフェースを提供する。送受信機５１０は、複数の要素であり得る、すなわち、送信機および受信機を含み得、伝送媒体を介して他の様々なデバイスと通信するためのユニットを提供する。プロセッサ５００は、バスアーキテクチャ及び通常の処理を管理し、モリ５２０は、プロセッサ５００が動作する際に使用するデータを記憶することができる。
【０１３２】
プロセッサ５００は、中央処理装置（ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，ＦＰＧＡ）または複合プログラマブルロジックデバイス（ｃｏｍｐｌｅｘ Ｐｒｏｇｒａｍｍａｂｌｅ Ｌｏｇｉｃ Ｄｅｖｉｃｅ，ＣＰＬＤ）とすることができる。
【０１３３】
図８を参照すると、端末側では、本発明の実施形態によって提供される情報を決定するための装置は、メモリ６２０およびプロセッサ６００を含み、前記メモリはプログラム命令を格納するように構成され、前記プロセッサは、前記メモリに格納されたプログラム命令を呼び出し、取得したプログラムに従って、
所定のＤＭＲＳポートの順序付けルールを決定し、
前記所定のＤＭＲＳポートの順序付けルールに従って、送受信機を介して６１０復調参考信号（ＤＭＲＳ）ポートにマッピングされて送信されたデータ層を受信する。
【０１３４】
なお、図８のメモリ６２０およびプロセッサ６００以外のデバイスは、本発明の実施形態によって提供されるデータを受信するための装置内のオプションのデバイスとして存在し、必須のデバイスではないことに留意されたい。
【０１３５】
本願の実施形態で提供される端末側の装置内のプロセッサ６００は、上記の端末側でのデータ受信方法に記載された任意のステップを実行することができ、その詳細な説明はここでは省略する。
【０１３６】
送受信機６１０は、プロセッサ６００の制御下でデータを送受信するように構成される。
【０１３７】
ここで、図８において、バスアーキテクチャは、任意の数の相互接続されたバスおよびブリッジを含み得、特に、プロセッサ６００によってテーブルされる１つ以上のプロセッサの様々な回路およびメモリ６２０によってテーブルされるメモリをリンクし得る。さらに、周辺装置、電圧調整器、電力管回路などのさまざまな他の回路をリンクすることができ、これらはすべて当技術分野でよく知られており、したがって、本明細書では再度さらに説明しない。バスインターフェースはインターフェースを提供する。送受信機６１０は、複数の要素であり得る、すなわち、送信機および受信機を含み得、伝送媒体を介して様々な他のデバイスと通信するためのユニットを提供する。異なるユーザー機器の場合、ユーザーインターフェース６３０は、必要なデバイスと相互接続または外部接続できるインターフェースであってもよく、接続されたデバイスには、キーパッド、ディスプレイ、スピーカー、マイク、ジョイスティックなどが含まれるが、これらに限定されない。
【０１３８】
プロセッサ６００は、バスアーキテクチャ及び通常の処理を管理し、モリ６２０は、プロセッサ６００が動作する際に使用するデータを記憶することができる。
【０１３９】
任意選択で、プロセッサ６００は、ＣＰＵ（中央処理装置）、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ，特定用途向け集積回路）、ＦＰＧＡ（Ｆｉｅｌｄ−Ｐｒｏｇｒａｍｍａｂｌｅ Ｇａｔｅ Ａｒｒａｙ，フィールドプログラマブルゲートアレイ）またはＣＰＬＤ（ｃｏｍｐｌｅｘ Ｐｒｏｇｒａｍｍａｂｌｅ Ｌｏｇｉｃ Ｄｅｖｉｃｅ，複合プログラマブルロジックデバイス）であってもよい。
【０１４０】
ネットワーク側では、図９を参照すると、本発明の実施形態によって提供される別の、データを送信するための装置は、
所定の復調参考信号（ＤＭＲＳ）ポートのＤＭＲＳ順序付けルールを決定するように構成された決定ユニット１１と、
前記所定のＤＭＲＳポートの順序付けルールに従って、データ層を伝送に使用されるＤＭＲＳポートにマッピングして端末に送信するように構成された送信ユニット１２とを備える。
【０１４１】
端末側では、図１０を参照すると、本発明の実施形態によって提供される別の、情報を決定するための装置は、
所定のＤＭＲＳポートの順序付けルールを決定するように構成された決定ユニット２１と、
前記所定のＤＭＲＳポートの順序付けルールに従って、復調参考信号（ＤＭＲＳ）ポートにマッピングされて送信されたデータ層を受信するように構成された受信ユニット２２とを備える。
【０１４２】
本願の実施形態は、上述のコンピューティングデバイスによって使用されるコンピュータプログラム命令を格納するように構成されたコンピュータ記憶媒体を提供し、コンピュータプログラム命令は、上述の情報指示または決定する方法を実行するためのプログラムを含む。
【０１４３】
前記コンピュータ記憶媒体は、磁気メモリ（例えば、フロッピーディスク、ハードディスク、磁気テープ、磁気光学ディスク（ＭＯ）など）、光学メモリ（ＣＤ、ＤＶＤ、ＢＤ、ＨＶＤなど）、半導体メモリ（ＲＯＭ、ＥＰＲＯＭ、ＥＥＰＲＯＭ、不揮発性メモリ（ＮＡＮＤ ＦＬＡＳＨ（登録商標））、ソリッドステートディスク（ＳＳＤ））などを含むがこれらに限定されない、コンピュータにアクセス可能な任意の使用可能な媒体またはデータ記憶装置であり得る。
【０１４４】
本発明の実施形態によって提供される方法は、端末装置に応用できるし、ネットワーク装置にも応用できる。
【０１４５】
また、本発明に係る実施形態において、ＵＥ（Ｕｓｅｒ Ｅｑｕｉｐｍｅｎｔ）は、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【０１４６】
ネットワーク装置は、基地局（例えば、接続点）であることができ、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭまたはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ−ＮｏｄｅＢ，ｅｖｏｌｕｔｉｏｎａｌ Ｎｏｄｅ Ｂ）、または５Ｇ ＮＲにおける基地局（ｇＮＢ）であってもよいが、本発明をそれに限定しない。
【０１４７】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがわかるはずである。さらに、本発明は、一つまたは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１４８】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム命令を実行し、フロー図における一つまたは複数のフローおよび／またはブロック図における一つまたは複数のブロックに指定する機能を実現する。
【０１４９】
これらのコンピュータプログラム命令は、又、コンピュータまたは他のプログラム可能なデータ処理装置を特定スキームで動作させるコンピュータ読取記憶装置に記憶できる。これによって、命令を含む装置は当該コンピュータ読取記憶装置内の命令を実行でき、フロー図における一つまたは複数のフローおよび／またはブロック図における一つまたは複数のブロックに指定する機能を実現する。
【０１５０】
これらコンピュータプログラム命令はさらに、コンピュータまたは他のプログラム可能なデータ処理装置設備に実装もできる。コンピュータプログラム命令が実装されたコンピュータまたは他のプログラム可能設備は、一連の操作ステップを実行することによって、関連の処理を実現し、コンピュータまたは他のプログラム可能な設備において実行される命令によって、フロー図における一つまたは複数のフローおよび／またはブロック図における一つまたは複数のブロックに指定する機能を実現する。
【０１５１】
上述した実施形態に記述された技術的な解決手段を改造し、またはその中の一部の技術要素を置換することもできる。そのような、改造と置換は本発明の各実施形態の技術の範囲から逸脱するとは見なされない。
【０１５２】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１５３】
11  決定ユニット
12  送信ユニット
21  受信ユニット
22  決定ユニット
500  プロセッサ
510  送受信機
520  メモリ
600  プロセッサ
610  送受信機
620  メモリ
630  ユーザーインターフェース
【図１】
2021510284.tif 000202
【図２】
2021510284.tif 000203
【図３】
2021510284.tif 000204
【図４】
2021510284.tif 000205
【図５】
2021510284.tif 000206
【図６】
2021510284.tif 000207
【図７】
2021510284.tif 000208
【図８】
2021510284.tif 000209
【図９】
2021510284.tif 000210
【図１０】
2021510284.tif 000211
【手続補正書】
【提出日】令和2年7月13日(2020.7.13)
【手続補正１】
【補正対象書類名】明細書
【補正対象項目名】０１３３
【補正方法】変更
【補正の内容】
【０１３３】
図８を参照すると、端末側では、本発明の実施形態によって提供されるデータを受信するための装置は、メモリ６２０およびプロセッサ６００を含み、前記メモリはプログラム命令を格納するように構成され、前記プロセッサは、前記メモリに格納されたプログラム命令を呼び出し、取得したプログラムに従って、
所定のＤＭＲＳポートの順序付けルールを決定し、
前記所定のＤＭＲＳポートの順序付けルールに従って、送受信機を介して６１０復調参考信号（ＤＭＲＳ）ポートにマッピングされて送信されたデータ層を受信する。
【手続補正２】
【補正対象書類名】明細書
【補正対象項目名】０１４１
【補正方法】変更
【補正の内容】
【０１４１】
端末側では、図１０を参照すると、本発明の実施形態によって提供される別の、データを受信するための装置は、
所定のＤＭＲＳポートの順序付けルールを決定するように構成された決定ユニット２１と、
前記所定のＤＭＲＳポートの順序付けルールに従って、復調参考信号（ＤＭＲＳ）ポートにマッピングされて送信されたデータ層を受信するように構成された受信ユニット２２とを備える。
【手続補正３】
【補正対象書類名】特許請求の範囲
【補正対象項目名】全文
【補正方法】変更
【補正の内容】
【特許請求の範囲】
【請求項１】
所定の復調参考信号（ＤＭＲＳ）ポートのＤＭＲＳ順序付けルールを決定するステップと、
前記所定のＤＭＲＳポートの順序付けルールに従って、データ層を伝送に使用されるＤＭＲＳポートにマッピングして端末に送信するステップとを備えることを特徴とするデータを伝送するための方法。
【請求項２】
前記ＤＭＲＳポートの順序付けルールは、以下のスキームのうちの１つで事前に設定され、
スキーム１−１：ＤＭＲＳポートベクトルに含まれるＤＭＲＳポート番号の小さいものから大きいものへの順で排列し、
スキーム１−２：ＤＭＲＳポートベクトルに含まれるＤＭＲＳポートが属するコード分割多重化（ＣＤＭ）グループの番号に従って、ＣＤＭグループの順序を付け、各ＣＤＭグループについて、ＤＭＲＳポート番号に従ってグループ内のＤＭＲＳポートの順序を付け、
スキーム１−３：
単一コードワード送信の場合、前記スキーム１−１またはスキーム１−２が採用され、
デュアルコードワード送信の場合、ステップ１およびステップ２からなり、
ステップ１：構成または指定されたＤＭＲＳ ＱＣＬグルーピングパラメーターに従って、各ＤＭＲＳグループについて、ＤＣＩによって割り当てられたＤＭＲＳポートをグルーピングし
ＤＭＲＳポート番号の小さいものから大きいものへの順番にしたがってＤＭＲＳポート順序をつけ、または
グループ内の各ＤＭＲＳポートが属するＣＤＭグループの番号にしたがってＣＤＭグループ順序をつけ、各ＣＤＭグループにおいて、ＤＭＲＳポート番号の小さいものから大きいものへの順で順序つけを実行し、
ステップ２、ＤＭＲＳグループ間の順序つけは、具体的には、
データ層の数が奇数の場合：
ＤＭＲＳポートの数が少ないグループを前の位置に配置し、または
ＤＭＲＳグループの番号に従って各ＤＭＲＳグループの順序をつけ、
データ層の数が偶数の場合：
コードワード１に対応するＤＭＲＳポート集合が、層の数が−１である場合の、コードワード１に対応するＤＭＲＳポート集合と同じになることを確保し、そして、コードワード０に対応するＤＭＲＳポート集合は、層の数が−１である場合の、コードワード０に対応するＤＭＲＳポート集合を含み、または、
ＤＭＲＳグループの番号に従って各ＤＭＲＳグループの順序をつけ、
スキーム１−４：
１つのＤＭＲＳグループを使用する場合は、前記スキーム１−１またはスキーム１−２が採用され、
２つのＤＭＲＳグループを使用する場合、
高位層によって構成されたＤＭＲＳ ＱＣＬグルーピングパラメーターに基づいて、各ＤＭＲＳグループについて、ＤＣＩによって割り当てられたＤＭＲＳポートをグルーピングし、ＤＭＲＳポート番号の小さいものから大きいものへの順でＤＭＲＳポートの順序を付け、またはＤＭＲＳグループ内の各ＤＭＲＳポートが属するＣＤＭグループの番号にしたがって、ＣＤＭグループの順序を付け、各ＣＤＭグループにおいて、ＤＭＲＳポート番号の小さいものから大きいものへの順で順序つけを実行し、
ＤＭＲＳポート数が少ないＤＭＲＳグループを前の位置に配置することを特徴とする請求項１に記載のデータを伝送するための方法。
【請求項３】
所定のＤＭＲＳポートの順序付けルールを決定するステップと、
前記所定のＤＭＲＳポートの順序付けルールに従って、復調参考信号（ＤＭＲＳ）ポートにマッピングされて送信されたデータ層を受信するステップとを備えることを特徴とするデータを受信するための方法。
【請求項４】
前記所定のＤＭＲＳポートの順序付けルールに従って、復調参考信号（ＤＭＲＳ）ポートにマッピングされて送信されたデータ層を受信することは、具体的には以下を含む。
次の式に従って、伝送に使用されるＤＭＲＳポートにマッピングされて送信されたデータ層を受信し：
【数１】
2021510284.tif 000212
ここで、
【数２】
2021510284.tif 000213
ｉは各データ層需要伝送される必要がある
【数３】
2021510284.tif 000214
個の変調シンボルにおけるｉ番目の変調シンボルを表し、Ｐ０,…，Ｐｖ−１はｖ個のＤＭＲＳポートの番号を表し、
【数４】
2021510284.tif 000215
は、所定のＤＭＲＳポートの順序付けルールにしたがって決定されたｖ個のＤＭＲＳポートのベクトルであり、
【数５】
2021510284.tif 000216
は、並列に送信されたマルチ入力マルチ出力（ＭＩＭＯ）伝送データ層の数ｖに従って各データ層を番号で順序つけすることによって取得された送信信号ベクトルである。
【数６】
2021510284.tif 000217
は伝送に使用されるＤＭＲＳポートy(P0)(i)上でデータ層x(0)(i)を受信することを示し、このように、伝送に使用されるＤＭＲＳポートy(Pv-1)(i)上でデータ層x(v-1)(i)を受信することを特徴とする請求項３に記載のデータを受信するための方法。
【請求項５】
ＤＭＲＳ構成タイプが第１のタイプであり、ＤＭＲＳシンボルの最大数が１である場合、{Ｐ０,…，Ｐｖ−１}の値は、以下のテーブルｃａｓｅ１-１-１によって決定され、
【表１】
2021510284.tif 000218
および/または
ＤＭＲＳ構成タイプが第１のタイプであり、ＤＭＲＳシンボルの最大数が２である場合、{Ｐ０,…，Ｐｖ−１}の値は、以下のテーブルｃａｓｅ１-１-２によって決定され、
【表２−１】
2021510284.tif 000219
【表２−２】
2021510284.tif 000220
【表２−３】
2021510284.tif 000221
【表２−４】
2021510284.tif 000222
ここで、ＤＭＲＳ ｐｏｒｔ(ｓ)は、ＤＭＲＳポート集合を表し、ＤＣＩにより端末に通知されることを特徴とする請求項４に記載のデータを受信するための方法。
【請求項６】
ＤＭＲＳ構成タイプが第２のタイプであり、ＤＭＲＳシンボルの最大数が１である場合、{Ｐ０,…，Ｐｖ−１}の値は、以下のテーブルによって決定され、
【表３−１】
2021510284.tif 000223
【表３−２】
2021510284.tif 000224
【表３−３】
2021510284.tif 000225
ここで、ＤＭＲＳ ｐｏｒｔ(ｓ)は、ＤＭＲＳポート集合を表し、ＤＣＩにより端末に通知されることを特徴とする請求項４に記載のデータを受信するための方法。
【請求項７】
ＤＭＲＳ構成タイプが第２のタイプであり、ＤＭＲＳシンボルの最大数が２である場合、{Ｐ０,…，Ｐｖ−１}の値は、以下のテーブルによって決定され、
【表４−１】
2021510284.tif 000226
【表４−２】
2021510284.tif 000227
【表４−３】
2021510284.tif 000228
【表４−４】
2021510284.tif 000229
【表４−５】
2021510284.tif 000230
【表４−６】
2021510284.tif 000231
ここで、ＤＭＲＳ ｐｏｒｔ(ｓ)は、ＤＭＲＳポート集合を表し、ＤＣＩにより端末に通知されることを特徴とする請求項４に記載のデータを受信するための方法。
【請求項８】
ＤＭＲＳ構成タイプが第１のタイプであり、ＤＭＲＳシンボルの最大数が１である場合、{Ｐ０,…，Ｐｖ−１}の値は、以下のテーブルｃａｓｅ２-１-１によって決定され、
【表５】
2021510284.tif 000232
および/または、
ＤＭＲＳ構成タイプが第１のタイプであり、ＤＭＲＳシンボルの最大数が２である場合、{Ｐ０,…，Ｐｖ−１}の値は、以下のテーブルｃａｓｅ２-１-２によって決定され、
【表６−１】
2021510284.tif 000233
【表６−２】
2021510284.tif 000234
【表６−３】
2021510284.tif 000235
【表６−４】
2021510284.tif 000236
【表６−５】
2021510284.tif 000237
および/または、
ＤＭＲＳ構成タイプが第２のタイプであり、ＤＭＲＳシンボルの最大数が１である場合、{Ｐ０,…，Ｐｖ−１}の値は、以下のテーブルｃａｓｅ２-２-１によって決定され、
【表７−１】
2021510284.tif 000238
【表７−２】
2021510284.tif 000239
【表７−３】
2021510284.tif 000240
【表７−４】
2021510284.tif 000241
および/または、
ＤＭＲＳ構成タイプが第２のタイプであり、ＤＭＲＳシンボルの最大数が２である場合、{Ｐ０,…，Ｐｖ−１}の値は、以下のテーブルｃａｓｅ２-２-２によって決定され、
【表８−１】
2021510284.tif 000242
【表８−２】
2021510284.tif 000243
【表８−３】
2021510284.tif 000244
【表８−４】
2021510284.tif 000245
【表８−５】
2021510284.tif 000246
【表８−６】
2021510284.tif 000247
【表８−７】
2021510284.tif 000248
【表８−８】
2021510284.tif 000249
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ, Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａは、データなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表し、ＤＭＲＳ ｐｏｒｔ(ｓ)は、ＤＭＲＳポート集合を表し、ＤＣＩにより端末に通知されることを特徴とする請求項４に記載のデータを受信するための方法。
【請求項９】
ＤＭＲＳ構成タイプが第１のタイプであり、ＤＭＲＳシンボルの最大数が１である場合、{Ｐ０,…，Ｐｖ−１}の値は、以下のテーブルｃａｓｅ３-１-１によって決定され、
【表９】
2021510284.tif 000250
および/または、
ＤＭＲＳ構成タイプが第１のタイプであり、ＤＭＲＳシンボルの最大数が２である場合、{Ｐ０,…，Ｐｖ−１}の値は、以下のテーブルｃａｓｅ３-１-２によって決定され、
【表１０−１】
2021510284.tif 000251
【表１０−２】
2021510284.tif 000252
【表１０−３】
2021510284.tif 000253
【表１０−４】
2021510284.tif 000254
【表１０−５】
2021510284.tif 000255
および/または、
ＤＭＲＳ構成タイプが第２のタイプであり、ＤＭＲＳシンボルの最大数が１である場合、{Ｐ０,…，Ｐｖ−１}の値は、以下のテーブルｃａｓｅ３-２-１によって決定され、
【表１１−１】
2021510284.tif 000256
【表１１−２】
2021510284.tif 000257
【表１１−３】
2021510284.tif 000258
【表１１−４】
2021510284.tif 000259
および/または、
ＤＭＲＳ構成タイプが第２のタイプであり、ＤＭＲＳシンボルの最大数が２である場合、{Ｐ０,…，Ｐｖ−１}の値は、以下のテーブルｃａｓｅ３-２-２によって決定され、
【表１２−１】
2021510284.tif 000260
【表１２−２】
2021510284.tif 000261
【表１２−３】
2021510284.tif 000262
【表１２−４】
2021510284.tif 000263
【表１２−５】
2021510284.tif 000264
【表１２−６】
2021510284.tif 000265
【表１２−７】
2021510284.tif 000266
【表１２−８】
2021510284.tif 000267
ここで、「Ｏｎｅ Ｃｏｄｅｗｏｒｄ: Ｃｏｄｅｗｏｒｄ ０ ｅｎａｂｌｅｄ, Ｃｏｄｅｗｏｒｄ １ ｄｉｓａｂｌｅｄ」は、１つのコードワードを表し、コードワード０は有効であり、コードワード１は無効であり、
「Ｔｗｏ Ｃｏｄｅｗｏｒｄｓ:Ｃｏｄｅｗｏｒｄ ０ ｅｎａｂｌｅｄ,  Ｃｏｄｅｗｏｒｄ １ ｅｎａｂｌｅｄ」は、２つのコードワードを表し、コードワード０は有効であり、コードワード１は有効であり、
ＶａｌｕｅはＤＭＲＳポート指示情報フィールドの値を表し、
Ｎｕｍｂｅｒ ｏｆ ＤＭＲＳ ＣＤＭ ｇｒｏｕｐ(ｓ) ｗｉｔｈｏｕｔ ｄａｔａはデータなしのＤＭＲＳ ＣＤＭグループの数を表し、
Ｎｕｍｂｅｒ ｏｆ ｆｒｏｎｔ−ｌｏａｄ ｓｙｍｂｏｌｓは、フロントロードＤＭＲＳシンボルの数を表すことを特徴とする請求項４に記載のデータを受信するための方法。
【請求項１０】
所定の復調参考信号（ＤＭＲＳ）ポートのＤＭＲＳ順序付けルールを決定するように構成された決定ユニットと、
前記所定のＤＭＲＳポートの順序付けルールに従って、データ層を伝送に使用されるＤＭＲＳポートにマッピングして端末に送信するように構成された送信ユニットとを備えることを特徴とするデータを送信するための装置。
【請求項１１】
前記ＤＭＲＳポートの順序付けルールは、以下のスキームのうちの１つで事前に設定され、
スキーム１−１：ＤＭＲＳポートベクトルに含まれるＤＭＲＳポート番号の小さいものから大きいものへの順で排列し、
スキーム１−２：ＤＭＲＳポートベクトルに含まれるＤＭＲＳポートが属するコード分割多重化（ＣＤＭ）グループの番号に従がって、ＣＤＭグループの順序を付け、各ＣＤＭグループについて、ＤＭＲＳポート番号に従ってグループ内のＤＭＲＳポートの順序を付け、
スキーム１−３：
単一コードワード送信の場合、前記スキーム１−１またはスキーム１−２が採用され、
デュアルコードワード送信の場合、ステップ１およびステップ２からなり、
ステップ１：構成または指定されたＤＭＲＳ ＱＣＬグルーピングパラメーターに従って、各ＤＭＲＳグループについて、ＤＣＩによって割り当てられたＤＭＲＳポートをグルーピングし
ＤＭＲＳポート番号の小さいものから大きいものへの順番にしたがってＤＭＲＳポート順序をつけ、または
グループ内の各ＤＭＲＳポートが属するＣＤＭグループの番号にしたがってＣＤＭグループ順序をつけ、各ＣＤＭグループにおいて、ＤＭＲＳポート番号の小さいものから大きいものへの順で順序つけを実行し、
ステップ２、ＤＭＲＳグループ間の順序つけは、具体的には、
データ層の数が奇数の場合：
ＤＭＲＳポートの数が少ないグループを前の位置に配置し、または
ＤＭＲＳグループの番号に従って各ＤＭＲＳグループの順序をつけ、
データ層の数が偶数の場合：
コードワード１に対応するＤＭＲＳポート集合が、層の数が−１である場合の、コードワード１に対応するＤＭＲＳポート集合と同じになることを確保し、そして、コードワード０に対応するＤＭＲＳポート集合は、層の数が−１である場合の、コードワード０に対応するＤＭＲＳポート集合を含み、または、
ＤＭＲＳグループの番号に従って各ＤＭＲＳグループの順序をつけ、
スキーム１−４：
１つのＤＭＲＳグループを使用する場合は、前記スキーム１−１またはスキーム１−２が採用され、
２つのＤＭＲＳグループを使用する場合、
高位層によって構成されたＤＭＲＳ ＱＣＬグルーピングパラメーターに基づいて、各ＤＭＲＳグループについて、ＤＣＩによって割り当てられたＤＭＲＳポートをグルーピングし、ＤＭＲＳポート番号の小さいものから大きいものへの順でＤＭＲＳポートの順序を付け、またはＤＭＲＳグループ内の各ＤＭＲＳポートが属するＣＤＭグループの番号にしたがって、ＣＤＭグループの順序を付け、各ＣＤＭグループにおいて、ＤＭＲＳポート番号の小さいものから大きいものへの順で順序つけを実行し、
ＤＭＲＳポート数が少ないＤＭＲＳグループを前の位置に配置することを特徴とする請求項１０に記載のデータを送信するための装置。
【請求項１２】
所定のＤＭＲＳポートの順序付けルールを決定するように構成された決定ユニットと、
前記所定のＤＭＲＳポートの順序付けルールに従って、復調参考信号（ＤＭＲＳ）ポートにマッピングされて送信されたデータ層を受信するように構成された受信ユニットとを備えることを特徴とするデータを受信するための装置。
【請求項１３】
前記所定のＤＭＲＳポートの順序付けルールに従って、復調参考信号（ＤＭＲＳ）ポートにマッピングされて送信されたデータ層を受信することは、具体的には以下を含む。
次の式に従って、伝送に使用されるＤＭＲＳポートにマッピングされて送信されたデータ層を受信し：
【数７】
2021510284.tif 000268
ここで、
【数８】
2021510284.tif 000269
ｉは各データ層需要伝送される必要がある
【数９】
2021510284.tif 000270
個の変調シンボルにおけるｉ番目の変調シンボルを表し、Ｐ０,…，Ｐｖ−１はｖ個のＤＭＲＳポートの番号を表し、
【数１０】
2021510284.tif 000271
は、所定のＤＭＲＳポートの順序付けルールにしたがって決定されたｖ個のＤＭＲＳポートのベクトルであり、
【数１１】
2021510284.tif 000272
は、並列に送信されたマルチ入力マルチ出力（ＭＩＭＯ）伝送データ層の数ｖに従って各データ層を番号で順序つけすることによって取得された送信信号ベクトルである。
【数１２】
2021510284.tif 000273
は伝送に使用されるＤＭＲＳポートy(P0)(i)上でデータ層x(0)(i)を受信することを示し、このように、伝送に使用されるＤＭＲＳポートy(Pv-1)(i)上でデータ層x(v-1)(i)を受信することを特徴とする請求項１２に記載のデータを受信するための装置。
【国際調査報告】
2021510284.tif 000274
2021510284.tif 000275
2021510284.tif 000276
2021510284.tif 000277